(57)【要約】【課題】突入電流を低減し装置の信頼性向上を図ることができる電子装置を提供する。【解決手段】インターロックスイッチ１２を介する電源ラインに並列に接続される複数のコンデンサ２１、２４、２８と、各コンデンサに充電される電圧を検出する電圧検出手段２２、２６と、コンデンサへの給電をオンオフするスイッチ手段２５、２９とを有し、コンデンサを順次充電することを特徴とする。【選択図】        図１
2004163546.tif 000002
【特許請求の範囲】
【請求項１】
インターロックスイッチを介する電源ラインに並列に接続される複数のコンデンサと、各コンデンサに充電される電圧を検出する電圧検出手段と、コンデンサへの給電をオンオフするスイッチ手段とを有し、コンデンサを順次充電することを特徴とする電子装置。
【請求項２】
請求項１記載の電子装置において、電圧検出手段はコンパレータで構成され、コンパレータは、コンデンサに充電された電圧と予め設定される基準電圧と比較し、コンデンサに充電される電圧が予め設定される電圧以上になった場合にスイッチ手段を介して別のコンデンサへの給電を行うことを特徴とする電子装置。
【請求項３】
請求項１記載の電子装置において、電圧検出手段は、コンデンサに充電された電圧のＡ／Ｄ変換を行い、Ａ／Ｄ変換されたデジタル値を判断するＣＰＵで構成され、ＣＰＵにより別のコンデンサへの給電を制御することを特徴とする電子装置。
【発明の詳細な説明】
【０００１】
【発明の属する技術分野】
本発明は、負荷駆動回路にインターロックスイッチを有する電子装置（例えば画像形成装置）に関するものである。
【０００２】
【従来の技術】
画像形成装置は、装置動作時にカバー等が開けられた場合でも安全性を確保するために、中高圧電源の電源ライン及び、一部の駆動部品の電源ラインがインターロックスイッチで切れる構成となっている。よって、インターロックスイッチを介する電源ラインに並列接続されるコンデンサが大きい場合には充分に放電された状態でインターロックスイッチが入れられると大きな突入電流が流れる。そしてこの突入電流により装置内の別回路部分にノイズを発生させ、回路の誤動作、装置の異常動作を引き起こす場合がある。
【０００３】
図５は一般的な画像形成装置の電源部の構成図である。カバーを開けたときに操作者が触れることのできる可動部品あるいは中高圧電源部品に電源を供給している電源ラインにはインターロックスイッチが必要である。図５では、可動部品の例としてＭ１、Ｍ２、Ｍ３の３個のモータを接続し各々のモータＭ１、Ｍ２、Ｍ３を駆動するドライバをＤＲＶ１、ＤＲＶ２、ＤＲＶ３とする。各ドライバＤＲＶ１、ＤＲＶ２、ＤＲＶ３はＣＰＵ１３により制御される。また各モータＭ１、Ｍ２、Ｍ３の電源ラインにはリプル電圧を吸収するための電解コンデンサＣ１、Ｃ２、Ｃ３が並列に接続されている構成とする。
【０００４】
また、類似の技術として、カバーの開閉によって駆動負荷部の入力平滑部に生じる突入電流の発生を防止し、画像形成装置の誤動作を防止する特許文献１の「画像形成装置」が知られている。
【０００５】
【特許文献１】
特開平９−２１２０４２号公報
【０００６】
【発明が解決しようとする課題】
インターロックスイッチ１２がオンした状態では、電解コンデンサＣ１、Ｃ２、Ｃ３はともに装置のＤＣ電圧を供給するＰＳＵ（パワーソースユニット）１１から電源が供給されている状態である。インターロックスイッチ１２がオフした状態になると、時間が経過されるとともに電解コンデンサＣ１、Ｃ２、Ｃ３に充電された電荷は放電される。特にモータＭ１、Ｍ２、Ｍ３が動作している状態でインターロックスイッチ１２がオフした場合に電荷は急速に放電される。
【０００７】
電解コンデンサＣ１、Ｃ２、Ｃ３の電荷が放電された状態でインターロックスイッチ１２がオンすると突入電流が流れる。この突入電流により装置内部で誘導されたノイズが装置内部の回路に誤動作を引き起こす場合がある。
【０００８】
本発明は、突入電流を低減し装置の信頼性向上を図ることができる電子装置を提供することを目的とするものである。
【０００９】
【課題を解決するための手段】
上記目的を達成するために、請求項１記載の発明は、インターロックスイッチを介する電源ラインに並列に接続される複数のコンデンサと、各コンデンサに充電される電圧を検出する電圧検出手段と、コンデンサへの給電をオンオフするスイッチ手段とを有し、コンデンサを順次充電する電子装置を最も主要な特徴とする。
【００１０】
請求項２記載の発明は、請求項１記載の電子装置において、電圧検出手段はコンパレータで構成され、コンパレータは、コンデンサに充電された電圧と予め設定される基準電圧と比較し、コンデンサに充電される電圧が予め設定される電圧以上になった場合にスイッチ手段を介して別のコンデンサへの給電を行う電子装置を主要な特徴とする。
【００１１】
請求項３記載の発明は、請求項１記載の電子装置において、電圧検出手段は、コンデンサに充電された電圧のＡ／Ｄ変換を行い、Ａ／Ｄ変換されたデジタル値を判断するＣＰＵで構成され、ＣＰＵにより別のコンデンサへの給電を制御する電子装置を主要な特徴とする。
【００１２】
【発明の実施の形態】
以下、本発明の実施の形態を図面に従って説明する。図１は本発明の第１の実施の形態に係る画像形成装置の電源部の構成図である。インターロックスイッチ１２がオンすると、まず第１のコンデンサ２１に充電される。第１のコンデンサ２１に充電された電圧を検出する第１の電圧検出手段２２を設け、第１の電圧検出手段２２からの情報と第１のＳＷ切換手段２３により第２のコンデンサ２４を充電するための第１のスイッチ２５をオンする。
【００１３】
第１のスイッチ２５がオンすると今度は第２のコンデンサ２４が充電され、前段同様第２のコンデンサ２４に充電された電圧を検出する第２の電圧検出手段２６を設け、第２の電圧検出手段２６からの情報と第２のＳＷ切換手段２７により第３のコンデンサ２８を充電するための第２のスイッチ２９をオンする。
【００１４】
このようにインターロックスイッチ１２を順次充電していくことで複数のコンデンサに同時に突入電流が流れ込むことを回避でき、結果的に装置内部で誘導されるノイズを低減することになり突入電流による誤動作を回避することが可能となる。また、必ずしも１つのコンデンサに１つのスイッチが必要ではなくコンデンサの数、容量によりスイッチの設け方は工夫することが考えられる。
【００１５】
図２は本発明の第２の実施の形態に係る画像形成装置の電源部の構成図である。第２の実施の形態は、各コンデンサ２１、２４、２８をそれぞれ２つ設け、これらのコンデンサに対して電圧検出手段とスイッチを設けた一例である。
【００１６】
図３は本発明の第３の実施の形態に係る画像形成装置の電源部の構成図である。第３の実施の形態は、コンデンサに充電される電圧を検出する手段をコンパレータとする。コンパレータによりコンデンサに充電された電圧と予め設定される基準電圧と比較し、コンデンサに充電される電圧が予め設定される電圧以上になった場合に別のコンデンサへの給電を行うためのスイッチをオンし次段のコンデンサを充電する。
【００１７】
即ち図３に示すように、インターロックスイッチ１２がオンすると、まず第１のコンデンサ２１に充電される。第１のコンデンサ２１の突入電流が減少する電圧Ｖ４１と第１のコンデンサ２１に充電された電圧を比較できる電圧検出手段としての第１のコンパレータ３１を設け、第１のコンデンサ２１が充電されＶ４１以上になると第２のコンデンサ２４を充電するための第１のスイッチ２５をオンする。
【００１８】
第１のスイッチ２５がオンすると今度は第２のコンデンサ２４が充電され、前段同様第２のコンデンサ２４の突入電流が減少する電圧Ｖ４２と第２のコンデンサ２４に充電された電圧を比較できる電圧検出手段としての第２のコンパレータ３２を設け、第２のコンデンサ２４が充電されＶ４２以上になると第３のコンデンサ２８を充電するための第２のスイッチ２９をオンする。
【００１９】
図４は本発明の第４の実施の形態に係る画像形成装置の電源部の構成図である。第４の実施の形態は、コンデンサに充電された電圧を検出する手段として、コンデンサに充電された電圧のＡ／Ｄ変換を行い、Ａ／Ｄ変換されたデジタル値を判断するＣＰＵを用いる。このＣＰＵにより別のコンデンサへの給電を制御する。
【００２０】
即ち、図４に示すようにインターロックスイッチ１２がオンすると、まず第１のコンデンサ２１に充電される。このときＣＰＵ３３に内蔵されたＡ／Ｄコンバータにより第１のコンデンサ２１の電圧を検出する。ＣＰＵ３３はソフト内部で予め設定された基準電圧と比較しており、第１のコンデンサ２１の充電電圧がその基準電圧に達すると、ＣＰＵ３３に内蔵されたＩ／Ｏポートにより第２のコンデンサ２４を充電するための第１のスイッチ２５をオンする。Ｒ５１、Ｒ５２は第１のコンデンサ２１に充電される電圧がＡ／Ｄコンバータ入力端子の定格入力電圧を超えないように分圧するための抵抗である。
【００２１】
第１のスイッチ２５がオンすると今度は第２のコンデンサ２４が充電され、前段同様ＣＰＵ３３に内蔵されたＡ／Ｄコンバータにより第２のコンデンサ２４の電圧を検出する。ＣＰＵ３３はソフト内部で予め設定された基準電圧と比較しており、第２のコンデンサ２４の充電電圧がその基準電圧に達すると、ＣＰＵ３３に内蔵されたＩ／Ｏポートにより第３のコンデンサ２８を充電するための第２のスイッチ２９をオンする。Ｒ５３、Ｒ５４は第２のコンデンサ２４に充電される電圧がＡ／Ｄコンバータ入力端子の定格入力電圧を超えないように分圧するための抵抗である。
【００２２】
【発明の効果】
請求項１記載の発明によれば、突入電流を低減し、装置の信頼性向上を図ることができる。
【００２３】
請求項２記載の発明によれば、ハードウェアのみの簡単な構成で、インターロックスイッチを介する電源ライン上に設けられたコンデンサを順次充電することによって、突入電流の低減を図ることができる。
【００２４】
請求項３記載の発明によれば、インターロックスイッチを介する電源ライン上に設けられたコンデンサへの給電をオンオフするスイッチ手段を、ソフトウェアで制御することにより、任意に充電タイミングを変えることができる。
【図面の簡単な説明】
【図１】本発明の第１の実施の形態に係る画像形成装置の電源部の構成図である。
【図２】本発明の第２の実施の形態に係る画像形成装置の電源部の構成図である。
【図３】本発明の第３の実施の形態に係る画像形成装置の電源部の構成図である。
【図４】本発明の第４の実施の形態に係る画像形成装置の電源部の構成図である。
【図５】一般的な画像形成装置の電源部の構成図である。
【符号の説明】
１１  ＰＳＵ
１２  インターロックスイッチ
２１  第１のコンデンサ
２２  第１の電圧検出手段
２３  第１のＳＷ切換手段
２４  第２のコンデンサ
２５  第１のスイッチ
２６  第２の電圧検出手段
２７  第２のＳＷ切換手段
２８  第３のコンデンサ
２９  第２のスイッチ
【図１】
2004163546.tif 000003
【図２】
2004163546.tif 000004
【図３】
2004163546.tif 000005
【図４】
2004163546.tif 000006
【図５】
2004163546.tif 000007